(57)【要約】【課題】  異常事態が発生した場合に、迅速且つ的確に対応できるように、異常事態の発生を適切な相手に通報することができる異常通知システムを提供する。【解決手段】  移動体通信端末１から発信された異常発生信号Ｓ１を受信し、異常発生信号Ｓ１に係る異常発生を報知する所定の異常通報信号Ｓ２を固定端末３に発信する異常通知システム２であって、移動体通信端末１からの異常発生信号Ｓ１を受け付ける受信手段２１と、異常発生信号Ｓ１を受信した場合に、移動体通信端末１の位置情報を検出する検出手段２２と、移動体通信端末１の位置情報に基づいて、異常通報信号Ｓ２を発信する固定端末３を選択する第１選択手段２３と、選択された固定端末３に対し異常通報信号Ｓ２を発信する異常通報信号発信手段２５と、を備える。【選択図】        図１
2007235783.tif 000002
【特許請求の範囲】
【請求項１】
移動体通信端末から発信された異常発生信号を受信し、前記異常発生信号に係る異常発生を報知する所定の異常通報信号を固定端末に発信する異常通知システムであって、
前記移動体通信端末からの前記異常発生信号を受け付ける受信手段と、
前記異常発生信号を受信した場合に、前記移動体通信端末の位置情報を検出する検出手段と、
前記移動体通信端末の前記位置情報に基づいて、前記異常通報信号を発信する前記固定端末を選択する第１選択手段と、
選択された前記固定端末に対し前記異常通報信号を発信する異常通報信号発信手段と、を備えることを特徴とする異常通知システム。
【請求項２】
前記異常発生信号は、前記位置情報を含むことを特徴とする請求項１に記載の異常通知システム。
【請求項３】
前記異常通報信号は、前記位置情報または前記位置情報に基づいて生成された位置通報情報を含むことを特徴とする請求項１または２に記載の異常通知システム。
【請求項４】
前記異常通報信号は、前記異常発生信号を発信した前記移動体通信端末の前記所有者の属性情報を含むことを特徴とする請求項１〜３の何れか１項に記載の異常通知システム。
【請求項５】
前記移動体通信端末の識別情報に基づいて、前記異常発生信号を発信した前記移動体通信端末の前記所有者に関係する個人または機関の通信端末の内、少なくとも一つを選択する第２選択手段を備え、
前記異常通報信号発信手段は、前記第１選択手段によって選択された前記固定端末、及び、前記第２選択手段によって選択された前記通信端末に対し前記異常通報信号を発信することを特徴とする請求項１〜４の何れか１項に記載の異常通知システム。
【請求項６】
前記固定端末は、ホームセキュリティシステムの通信端末であることを特徴とする請求項１〜５の何れか１項に記載の異常通知システム。
【請求項７】
請求項１〜６の何れか１項に記載の異常通知システムから発信された前記異常通報信号を受け付ける異常通報信号受信手段と、
前記異常通報信号に応じて、異常発生を報知する報知手段と、を備えることを特徴とする固定端末。
【請求項８】
請求項３に記載の異常通知システムから発信された前記異常通報信号を受け付ける異常通報信号受信手段と、
前記異常通報信号に応じて、異常発生を報知するとともに、前記異常通報信号に含まれる前記位置情報または前記位置情報に基づいて生成された位置通報情報に基づいて異常発生場所を報知する報知手段と、を備えることを特徴とする固定端末。
【請求項９】
請求項４に記載の異常通知システムから発信された前記異常通報信号を受け付ける異常通報信号受信手段と、
前記異常通報信号に応じて、異常発生を報知するとともに、前記異常通報信号に含まれる前記属性情報に基づいて前記移動体通信端末の前記所有者の所有者情報を報知する報知手段と、を備えることを特徴とする固定端末。
【発明の詳細な説明】
【技術分野】
【０００１】
本発明は、移動体通信端末から発信された異常発生信号を受信し、前記異常発生信号に係る異常発生を報知する所定の異常通報信号を固定端末に発信する異常通知システムに関する。
【背景技術】
【０００２】
子供や女性等に対する犯罪の防止や危険回避のための技術として、大音量の警報音で異常発生を周囲に知らせる警報ブザーがある。また、他の犯罪防止技術として、ＧＰＳ（Ｇｌｏｂａｌ  Ｐｏｓｉｔｉｏｎｉｎｇ  Ｓｙｓｔｅｍ）や携帯電話の基地局を利用して、異常発生を通報する信号が発信された携帯電話の位置情報を検出し、検出した位置情報とともに異常発生が発生したことを、身内や警察、警備会社等に対し、身内や警察、警備会社等が所有する通信端末を介して通報する異常通知システムが提供されている（例えば、特許文献１及び特許文献２参照）。
【０００３】
更に、他の技術として、住宅内に設置された端末が、空き巣や火災、ガス漏れ等の異常事態を検出した場合に、異常事態を検出した住宅の住民が所有する携帯端末に異常事態が発生したことを通知するとともに、予め各住宅を所定領域毎に区分しておき、異常事態を検出した住宅の属する領域内の他の住宅に設置された固定端末に、異常事態が発生した住宅があることを通報するセキュリティシステムがある（例えば、特許文献３参照）。
【０００４】
【特許文献１】特開２００１−７６２８９号公報
【特許文献２】特開２００３−２９８７７４号公報
【特許文献３】特開２００２−２７１５２２号公報
【発明の開示】
【発明が解決しようとする課題】
【０００５】
しかし、警報ブザーの場合、周囲に人がいない場合には、十分な防犯効果を得ることができないという問題があった。また、位置情報とともに異常が発生したことを通知する異常通知システムの場合、身内や警察等が通報者の遠方にいる場合には、迅速に対応することが困難であるという問題がある。
【０００６】
上記特許文献３に記載のセキュリティシステムは、住宅に設置され固定された通信端末からの異常発生信号を受けて異常発生の報知を行う構成であり、携帯電話等の移動体通信端末に対応したものではなく、移動体通信端末からの異常発生信号に応じて適切に異常発生の報知を行うことは困難である。
【０００７】
本発明は上記の問題に鑑みてなされたものであり、その目的は、異常事態が発生した場合に、迅速且つ的確に対応できるように、異常事態の発生を適切な相手に通報することができる異常通知システムを提供する点にある。
【課題を解決するための手段】
【０００８】
上記目的を達成するための本発明に係る異常通知システムは、移動体通信端末から発信された異常発生信号を受信し、前記異常発生信号に係る異常発生を報知する所定の異常通報信号を固定端末に発信する異常通知システムであって、前記移動体通信端末からの前記異常発生信号を受け付ける受信手段と、前記異常発生信号を受信した場合に、前記移動体通信端末の位置情報を検出する検出手段と、前記移動体通信端末の前記位置情報に基づいて、前記異常通報信号を発信する前記固定端末を選択する第１選択手段と、選択された前記固定端末に対し前記異常通報信号を発信する異常通報信号発信手段と、を備えることを第１の特徴とする。
【０００９】
上記特徴の異常通知システムによれば、移動体通信端末の位置情報を検出し、位置情報に基づいて異常通報信号を発信する固定端末を選択するので、異常発生場所の近隣に設置されている固定端末等、異常事態により迅速に対応できると考えられる固定端末の利用者またはその近くにいる人等に対して異常発生を報知することができる。これによって、身内や警察、警備会社が遠方にいて迅速な対応が困難な場合であっても、異常発生場所の近くにいる複数人が異常事態に対応することが可能になる。
【００１０】
上記特徴の異常通知システムは、前記異常発生信号は、前記位置情報を含むことを第２の特徴とする。
【００１１】
上記特徴の異常通知システムによれば、異常発生信号が位置情報を含むので、移動体通信端末に位置検出機能がある場合に、移動体通信端末の資源を有効活用できる。更に、本発明システム側で位置情報を検知する必要がないため、位置情報の検出にかかる手間及び時間を省力化できる。
【００１２】
上記何れかの特徴の異常通知システムは前記異常通報信号は、前記位置情報または前記位置情報に基づいて生成された位置通報情報を含むことを第３の特徴とする。
【００１３】
上記特徴の異常通知システムによれば、位置情報または位置通報情報に基づいて異常発生場所に関する情報を固定端末において報知するように構成することができ、異常発生の通報を受けた固定端末の利用者等が、異常発生場所をより迅速且つ容易に特定できるので、異常事態により適切且つ迅速に対応することが可能になる。
【００１４】
上記何れかの特徴の異常通知システムは、前記異常通報信号が、前記異常発生信号を発信した前記移動体通信端末の前記所有者の属性情報を含むことを第４の特徴とする。
【００１５】
上記特徴の異常通知システムによれば、例えば、異常発生を通報した移動体通信端末の所有者の性別や年齢等の属性情報を、固定端末において報知するように構成することで、異常発生の通報を受けた固定端末の利用者が、移動体通信端末の所有者を適切に特定することができ、異常事態により適切に対応することが可能になる。
【００１６】
上記何れかの特徴の異常通知システムは、前記移動体通信端末の識別情報に基づいて、前記異常発生信号を発信した前記移動体通信端末の前記所有者に関係する個人または機関の通信端末の内、少なくとも一つを選択する第２選択手段を備え、前記異常通報信号発信手段は、前記第１選択手段によって選択された前記固定端末、及び、前記第２選択手段によって選択された前記通信端末に対し前記異常通報信号を発信することを第５の特徴とする。
【００１７】
上記特徴の異常通知システムによれば、位置情報に基づいて選択された固定端末だけでなく、所有者に関係する個人または機関、例えば、身内、学校、警察、学校、及び、警備会社等、位置情報に依存しない通信端末にも異常通報信号を発信するので、異常事態により適切に対応することが可能になる。
【００１８】
上記何れかの特徴の異常通知システムは、前記固定端末は、ホームセキュリティシステムの通信端末であることを第６の特徴とする。
【００１９】
上記特徴の異常通知システムによれば、ホームセキュリティシステムの通信端末を固定端末として利用するので、新たに固定端末を設ける必要がなく、システム運用が可能になる。更に、既存のホームセキュリティシステムの利用者が属するコミュニティ内において、簡易に防犯協力を行える。
【００２０】
上記目的を達成するための本発明に係る固定端末は、上記第１〜第６の特徴の異常通知システムから発信された前記異常通報信号を受け付ける異常通報信号受信手段と、前記異常通報信号に応じて、異常発生を報知する報知手段と、を備えることを特徴とする。
【００２１】
上記特徴の固定端末によれば、上記第１〜第６の特徴の異常通知システムの作用効果を全て奏することができ、固定端末の利用者が、異常発生により迅速且つ的確に対応することが可能になる。
【００２２】
上記目的を達成するための本発明に係る固定端末は、上記第３の特徴の異常通知システムから発信された前記異常通報信号を受け付ける異常通報信号受信手段と、前記異常通報信号に応じて、異常発生を報知するとともに、前記異常通報信号に含まれる前記位置情報または前記位置情報に基づいて生成された位置通報情報に基づいて異常発生場所を報知する報知手段と、を備えることを特徴とする。
【００２３】
上記特徴の固定端末によれば、上記第３の特徴の異常通知システムの作用効果を全て奏することができ、異常発生の通報を受けた固定端末の利用者が、異常発生場所をより迅速且つ容易に特定できる。
【００２４】
上記特徴の固定端末は、上記第４の特徴の異常通知システムから発信された前記異常通報信号を受け付ける異常通報信号受信手段と、前記異常通報信号に応じて、異常発生を報知するとともに、前記異常通報信号に含まれる前記属性情報に基づいて前記移動体通信端末の前記所有者の所有者情報を報知する報知手段と、を備えることを特徴とする。
【００２５】
上記特徴の固定端末によれば、上記第４の特徴の異常通知システムの作用効果を全て奏することができ、異常発生の通報を受けた固定端末の利用者が、移動体通信端末の所有者を適切に特定することができる。
【発明を実施するための最良の形態】
【００２６】
以下、本発明に係る異常通知システム（以下、適宜「本発明システム」と略称する）の実施形態を図面に基づいて説明する。
【００２７】
〈第１実施形態〉
本発明システムの構成について図１を基に説明する。図１に示すように、本発明システム２は、移動体通信端末１からの異常発生信号Ｓ１を受け付ける受信手段２１、異常発生信号Ｓ１を受信した場合に、移動体通信端末１の位置情報を検出する検出手段２２、移動体通信端末１の位置情報に基づいて、異常通報信号Ｓ２を発信する固定端末３を１または複数選択する第１選択手段２３、移動体通信端末１の識別情報に基づいて、異常発生信号Ｓ１を発信した移動体通信端末１の所有者に関連する個人または機関の通信端末４を１または複数選択する第２選択手段２４、及び、選択された固定端末３に対し異常通報信号Ｓ２を発信し、通信端末４に対し異常通報信号Ｓ３を発信する異常通報信号発信手段２５を備える。
【００２８】
移動体通信端末１は、所有者の操作により異常発生信号Ｓ１を発信するように構成されている。本実施形態では、移動体通信端末１として、ＧＰＳによる位置情報の検出機能を備えた携帯電話を想定して説明する。携帯電話１には防犯ブザーが備えられており、防犯ブザーに連動して異常発生信号Ｓ１を送信する。
【００２９】
固定端末３は、異常通知システムから発信された異常通報信号Ｓ２を受け付ける異常通報信号受信手段３１と、異常通報信号Ｓ２に応じて異常発生を音声で報知する報知手段３２と、を備えて構成されており、本実施形態では、ホームセキュリティシステムにおいて、各住宅に設置される通信端末を想定して説明する。
【００３０】
通信端末４は、異常通知システムから発信された異常通報信号Ｓ３を受け付ける異常通報信号受信手段４１と、異常通報信号Ｓ３に応じて異常発生を音声で報知する報知手段４２と、を備えて構成されており、本実施形態では、身内が所有する携帯電話等の通信端末、学校に設置された通信端末、警察署に設置された通信端末、及び、所定の警備会社に設置された通信端末を想定して説明する。
【００３１】
本発明システム２は、コンピュータのハードウェアとそのハードウェア上で実行されるアプリケーションソフトウェアで構成されており、受信手段２１、検出手段２２、第１選択手段２３、第２選択手段２４、及び、異常通報信号発信手段２５をソフトウェア処理により実現させるためのプログラムを前記コンピュータ上で実行することにより実現される。本発明システム２は、例えば、ホームセキュリティシステム用の固定端末３を管理する警備会社のサーバ上において構成される。
【００３２】
受信手段２１は、移動体通信端末１からの異常発生信号Ｓ１を受け付ける。本実施形態の異常発生信号Ｓ１は、移動体通信端末１の識別情報と位置情報からなるパケットデータで構成され、本発明システム２が管理する携帯電話１からアクセス可能なＷＥＢサイトに対して自動的にアクセスしてパケット送信される。本実施形態では、位置情報として、世界測地系による経度・緯度を想定し、識別情報として、移動体通信端末１に固有に割り当てられた端末ＩＤを想定する。
【００３３】
検出手段２２は、異常発生信号Ｓ１を受信した場合に、移動体通信端末１の位置情報を検出する。本実施形態の検出手段２２は、異常発生信号Ｓ１から、移動体通信端末１の位置情報として、世界測地系による経度・緯度を取得し、第１選択手段２３に出力する。更に、本実施形態の検出手段２２は、異常発生信号Ｓ１から、移動体通信端末１の識別情報として、移動体通信端末１に固有に割り当てられた端末ＩＤを取得し、第２選択手段２４に出力する。
【００３４】
第１選択手段２３は、移動体通信端末１の位置情報に基づいて、異常通報信号Ｓ２を発信する固定端末３を選択する。具体的には、第１選択手段２３は、各固定端末３の位置情報（経度・緯度）を記録した固定端末情報データベース２３ａ（固定端末情報ＤＢ２３ａ）を備えている。第１選択手段２３は、移動体通信端末１の位置情報と各固定端末３の位置情報を用い、移動体通信端末１から所定の距離内にある固定端末３を特定し、特定した固定端末３を異常通報信号Ｓ２の発信対象として選択する。
【００３５】
第２選択手段２４は、移動体通信端末１の識別情報に基づいて、異常発生信号Ｓ１を発信した移動体通信端末１の所有者に関連する個人または機関の通信端末４、例えば、身内が所有する携帯電話等の通信端末４、学校に設置された通信端末４、警察署に設置された通信端末４、及び、所定の警備会社に設置された通信端末４の内、少なくとも一つを選択する。具体的には、第２選択手段２４は、移動体通信端末１の所有者に関連する個人または機関の通信端末４の情報を、移動体通信端末１の機器固有の端末ＩＤと関連付けて記憶した通信端末情報データベース２４ａ（通信端末情報ＤＢ２４ａ）を備えている。第２選択手段２４は、移動体通信端末１の端末ＩＤをキーとして通信端末情報ＤＢ２４ａを検索し、異常通報信号Ｓ３の発信対象となる通信端末４を特定する。
【００３６】
異常通報信号発信手段２５は、選択された固定端末３に対し異常通報信号Ｓ２を発信し、通信端末４に対し異常通報信号Ｓ３を発信する。ここでの異常通報信号Ｓ２は、移動体通信端末１の位置情報に基づいて生成された位置通報情報と、携帯電話１の所有者の属性情報を含むパケットデータで構成されている。位置通報情報は、例えば、移動体通信端末１の近辺の地図を表示画面上に表示するための表示データや、移動体通信端末１までの距離及び方角を表示画面上で文字表示するための表示データ、移動体通信端末１までの距離及び方角を音声で報知するための音声データ等である。属性情報は、例えば、移動体通信端末１の所有者の年齢や性別等である。異常通報信号Ｓ３は、移動体通信端末１の位置通報情報と、携帯電話１の所有者の属性情報を含むパケットデータで構成されている。尚、本実施形態では、異常通報信号Ｓ３に含まれる属性情報は、例えば、移動体通信端末１の所有者の年齢や性別等の他、氏名等の個人情報等、異常通報信号Ｓ２に含まれる属性情報より詳細な情報が含まれる。
【００３７】
次に、本発明システム２の動作について図２を基に説明する。
【００３８】
防犯ブザーを作動させると（ステップ＃１０１）、携帯電話１は、防犯ブザーに連動して、ＧＰＳにより現在の位置（経度・緯度）を検出する（ステップ＃１０２）。引き続き、移動体通信端末１は、位置情報及び識別情報（端末ＩＤ）からなる異常発生信号Ｓ１を生成し、携帯電話に事前に登録されているＷＥＢサイトに自動的にアクセスして、異常発生信号Ｓ１を本発明システム２に対して送信する（ステップ＃１０３）。
【００３９】
本発明システム２では、受信手段２１が携帯電話１から異常発生信号Ｓ１を受信すると（ステップ＃２０１）、検出手段２２が、異常発生信号Ｓ１から位置情報として携帯電話１の経度・緯度を取得する（ステップ＃２０２）。本実施形態では、更に、異常発生信号Ｓ１から識別情報として携帯電話１の端末ＩＤを取得する。
【００４０】
続いて、第１選択手段２３は、位置情報に基づいて、異常通報信号Ｓ２を発信する固定端末３を選択する（ステップ＃２０３）。本実施形態では、固定端末情報ＤＢ２３ａにアクセスして各固定端末３の経度・緯度を取得し、異常発生信号Ｓ１を発信した携帯電話１の経度・緯度から各固定端末３との間の距離を算出し、異常発生信号Ｓ１を発信した携帯電話１から所定の距離内にある固定端末３を選択する。
【００４１】
第２選択手段２４は、携帯電話１の端末ＩＤに基づいて、異常通報信号Ｓ３を発信する通信端末４を選択する（ステップ＃２０４）。本実施形態では、通信端末情報ＤＢ２４ａにアクセスして、異常発生信号Ｓ１を発信した携帯電話１の所有者の身内が所有する携帯電話４、学校に設置された通信端末４、警察署に設置された通信端末４、及び、所定の警備会社に設置された通信端末４を選択する。
【００４２】
異常通報信号発信手段２５は、第１選択手段２３選択した固定端末３に対し異常通報信号Ｓ２を発信し、第２選択手段２４が選択した通信端末４に対し異常通報信号Ｓ３を発信する（ステップ＃２０５）。本実施形態の異常通報信号Ｓ２には、携帯電話１の位置情報から自動的に生成した位置通報情報と、携帯電話１の所有者の属性情報が含まれる。異常通報信号Ｓ３には、携帯電話１の位置情報から自動的に生成した位置通報情報と、携帯電話１の所有者の属性情報が含まれる。属性情報は、携帯電話１の端末ＩＤと携帯電話１の所有者の属性情報とを関連付けて記憶したデータベースを、端末ＩＤをキーとして検索して取得する。
【００４３】
固定端末３では、異常通報信号受信手段３１が本発明システム２から異常通報信号Ｓ２を受信すると（ステップ＃３０１）、報知手段３２が異常発生を報知する（ステップ＃３０２）。本実施形態の報知手段３２は、ブザーやアナウンス、表示画面上での情報の表示、及び、フラッシュの発光等により、異常発生とともに、異常発生場所や、年齢や性別等の携帯電話１の所有者の属性情報を報知する。より具体的には、例えば、携帯電話１の位置情報を報知する場合、表示画面上における地図表示、表示画面上における文字表示、音声による方角及び距離の報知等を行う。
【００４４】
〈別実施形態〉
〈１〉上記実施形態では、移動体通信端末１としてＧＰＳによる位置情報の検出機能を備えた携帯電話１を想定して説明したが、これに限られるものではなく、異常発生信号Ｓ１を送信可能な移動体通信端末であれば良い。
【００４５】
〈２〉上記実施形態では、異常発生信号Ｓ１に位置情報を含める場合について説明したが、これに限るものではない。例えば、ＧＰＳ機能を有しない携帯電話１を利用し、本発明システム２の検出手段２２が、携帯電話の各基地局の情報から携帯電話１の位置を特定するように構成しても良い。
【００４６】
〈３〉上記実施形態では、携帯電話１から受信手段２１へのアクセスは、ＷＥＢサイトを用いて行ったが、これに限られるものではなく、受信手段２１に設定された特定の電話番号へのアクセスであっても構わないし、受信手段２１に設定された特定の電子メールアドレスへの電子メールの送信であっても構わない。
【００４７】
〈４〉上記実施形態では、本発明システム２が、警備会社のホームセキュリティシステムのサーバに設置されている場合において、携帯電話１から発信された異常発生信号Ｓ１を本発明システム２の受信手段２１で直接的に受信する場合を説明したが、これに限られるものではない。例えば、図３に示すように、異常発生信号Ｓ１の中継用の受信手段２６を別途電話事業者等に設置し、本発明システム２を複数の警備会社に設置し、異常発生信号Ｓ１を、受信手段２６を経由して複数本発明システム２に配信するように構成するのも好ましい。このとき、検出手段２２を電話事業者側に構築しても良い。
【００４８】
〈５〉上記実施形態では、異常通報信号Ｓ２、Ｓ３は、位置情報及び属性情報を含んで構成したが、これに限るものではなく、位置情報及び属性情報の何れか一方のみ含む構成、位置情報及び属性情報の何れも含まない構成、位置情報及び属性情報以外の他の情報を含む構成であっても構わない。
【００４９】
〈６〉上記実施形態の本発明システム２は、第２選択手段２４を設けない構成であっても良く、この場合には、携帯電話１の所有者の身内が所有する携帯電話４等に対し、携帯電話１が直接異常通報信号を発信するように構成しても良い。
【００５０】
〈７〉上記実施形態では、移動体通信端末１が、所有者の操作により異常発生信号Ｓ１を発信するように構成されている場合について説明したが、これに限るものではなく、自動的に異常を検出して異常発生信号Ｓ１を発信するように構成されていても良い。
【図面の簡単な説明】
【００５１】
【図１】本発明に係る異常通知システム及び周辺装置の概略構成を示す概略ブロック図
【図２】本発明に係る異常通知システム及び周辺装置の動作を示すフロー図
【図３】本発明に係る異常通知システム及び周辺装置の別実施形態における概略構成を示す概略ブロック図
【符号の説明】
【００５２】
１      携帯電話（移動体通信端末）
２      本発明に係る異常通知システム
３      固定端末
４      通信端末
２１    受信手段
２２    検出手段
２３    第１選択手段
２３ａ  固定端末情報データベース
２４    第２選択手段
２４ａ  通信端末情報データベース
２５    異常通報信号発信手段
２６    受信手段
３１    異常通報信号受信手段
３２    報知手段
４１    異常通報信号受信手段
４２    報知手段
Ｓ１    異常発生信号
Ｓ２    異常通報信号
Ｓ３    異常通報信号
【図１】
2007235783.tif 000003
【図２】
2007235783.tif 000004
【図３】
2007235783.tif 000005